(57)【要約】【課題】基地局より上位において生じる通信量増加に伴う輻輳を回避する。【解決手段】基地局１１に接続される親機２１において、隣接する親機２３から信号が入力された場合に、一定時間内の通信量情報を取得し、配下の子機３ｉｋの入力信号が許容量を超えるか否かを判定し、信号が許容量を超える場合、隣接する親機２２へ信号の処理を分配し、配下の子機３ｉｋの入力信号が許容量を超えない場合、隣接する親機２３からの信号が許容量を超えるか判定し、信号が許容量を超える場合、隣接する親機２２３へ信号の処理を分配し、信号が許容量を超えない場合、信号を合成し、基地局１１へ伝送する。【選択図】  図２
2013066009.tif 000002
【特許請求の範囲】
【請求項１】
移動端末と無線通信する複数の基地局を備えるエリア拡張システムであって、前記基地局に接続される親機と前記親機に接続される複数の子機とを備える複数のエリア拡張装置を用いて前記基地局それぞれの無線通信エリアを拡張するエリア拡張システムにおいて、
前記エリア拡張装置間で前記親機同士を接続する接続手段と、
前記複数のエリア拡張装置それぞれに設けられ、前記複数の子機それぞれの受信レベルに基づく通信量を検出して通信許容量と比較し、前記通信許容量に満たない場合にはその受信信号を当該親機の接続先の基地局に送出し、前記通信許容量を超える場合には前記接続手段によって接続される他のエリア拡張装置の親機に送出する送出先選択手段と
を具備することを特徴とするエリア拡張システム。
【請求項２】
前記通信許容量を超えるエリア拡張装置から受信信号を受けたエリア拡張装置の前記送出先選択手段は、自らのエリア拡張装置の接続先の基地局の通信許容量を超える場合には、切替元のエリア拡張装置とは異なるエリア拡張装置に前記切替元のエリア拡張装置からの受信信号を送出することを特徴とする請求項１記載のエリア拡張システム。
【請求項３】
前記送出先選択手段は、少なくとも前記受信レベルの平均値が一定値以上となるとき前記通信量が許容量を越えたと判定することを特徴とする請求項１記載のエリア拡張システム。
【請求項４】
前記送出先選択手段は、前記受信レベルの平均値が一定値以上となり、且つ前記受信レベルの変化が一定値以上となるとき前記通信量が許容量を越えたと判定することを特徴とする請求項１記載のエリア拡張システム。
【請求項５】
移動端末と無線通信する複数の基地局を備えるエリア拡張システムに用いられ、前記の基地局に接続される親機と前記親機に接続される複数の子機とを備え、前記基地局の無線通信エリアを拡張するエリア拡張装置であって、
前記親機は、
他のエリア拡張装置の親機と接続する接続手段と、
前記複数の子機それぞれの受信レベルに基づく通信量を検出して通信許容量と比較し、前記通信許容量に満たない場合にはその受信信号を当該親機の接続先の基地局に送出し、当該通信許容量を超える場合には前記接続手段によって接続される他のエリア拡張装置の親機に送出する送出先選択手段と
を具備することを特徴とするエリア拡張システムのエリア拡張装置。
【請求項６】
前記通信許容量を超えるエリア拡張装置から受信信号を受けた場合、前記送出先選択手段は、自らのエリア拡張装置の接続先の基地局の通信許容量を超える場合には、切替元のエリア拡張装置とは異なるエリア拡張装置に切替元のエリア拡張装置からの受信信号を送出することを特徴とする請求項５記載のエリア拡張システムのエリア拡張装置。
【請求項７】
前記送出先選択手段は、少なくとも前記受信レベルの平均値が一定値以上となるとき前記通信量が許容量を越えたと判定することを特徴とする請求項５記載のエリア拡張システムのエリア拡張装置。
【請求項８】
前記送出先選択手段は、前記受信レベルの平均値が一定値以上となり、且つ前記受信レベルの変化が一定値以上となるとき前記通信量が許容量を越えたと判定することを特徴とする請求項５記載のエリア拡張システムのエリア拡張装置。
【請求項９】
移動端末と無線通信する複数の基地局を備えるエリア拡張システムであって、前記基地局に接続される親機と前記親機に接続される複数の子機とを備えるエリア拡張装置を用いて前記複数の基地局それぞれの無線通信エリアを拡張するエリア拡張システムに適用され、
前記エリア拡張装置間で前記親機同士を接続し、
前記エリア拡張装置それぞれで、前記複数の子機それぞれの受信レベルに基づく通信量を検出して通信許容量と比較し、前記通信許容量に満たない場合にはその受信信号を当該親機の接続先の基地局に送出し、前記通信許容量を超える場合には前記接続手段によって接続される他のエリア拡張装置の親機に送出することを特徴とするエリア拡張システムのエリア拡張通信方法。
【請求項１０】
前記通信許容量を超えるエリア拡張装置から受信信号を受けた前記切替先のエリア拡張装置で、当該エリア拡張装置の接続先の基地局の通信許容量を超える場合には、切替元のエリア拡張装置とは異なるエリア拡張装置に前記切替元のエリア拡張装置からの受信信号を送出することを特徴とする請求項９記載のエリア拡張システムのエリア拡張通信方法。
【請求項１１】
前記送出先選択の処理は、少なくとも前記受信レベルの平均値が一定値以上となるとき前記通信量が許容量を越えたと判定することを特徴とする請求項９記載のエリア拡張システムのエリア拡張通信方法。
【請求項１２】
前記送出先選択の処理は、前記受信レベルの平均値が一定値以上となり、且つ前記受信レベルの変化が一定値以上となるとき前記通信量が許容量を越えたと判定することを特徴とする請求項９記載のエリア拡張システムのエリア拡張通信方法。
【発明の詳細な説明】
【技術分野】
【０００１】
本発明の実施形態は、通信量増加に伴う輻輳を回避するエリア拡張システムとこのシステムに用いられるエリア拡張装置及びエリア拡張通信方法に関する。
【背景技術】
【０００２】
一般に、無線通信システムでは、移動端末と無線通信するエリアを形成する複数の基地局を備える。それらの基地局には、当該基地局の通信エリアを拡張するためのエリア拡張装置がよく設置される。このエリア拡張装置は、基地局に設けられるアンテナで送受信される信号をより広いエリアで送受信できるようにするものであり、親機及びその親機と接続される複数の子機を備える。親機は基地局に接続され、複数の子機はこの親機に接続され、任意の箇所に配置される。親機は各子機からの電波受信信号を受け取って基地局に伝送し、基地局からの送信信号を受け取って各子機に無線配信するものである。このエリア拡張装置を利用することで、基地局がカバーする通信エリアを広げ、電波の不感地帯を減らすことができる。
【０００３】
しかしながら、上記親機及び子機によるエリア拡張装置は、基地局で送受信される信号をより広い通信エリアで送受信するものであるので、拡張されたエリア内で許容される通信量は、基地局一台分のままである。もし、エリア内の通信量が基地局の許容量を超えてしまうと、基地局より上位のネットワークのレイヤーで輻輳が多発することになり、これによって通信が繋がりにくくなってしまう。
【先行技術文献】
【特許文献】
【０００４】
【特許文献１】特開２０１１−４９７８４号公報
【発明の概要】
【発明が解決しようとする課題】
【０００５】
以上のように、従来のエリア拡張装置は、子機によって拡張される基地局管轄エリア内の通信量が基地局の許容量を超える場合に、基地局より上位のネットワークのレイヤーで輻輳が多発してしまい、通信が繋がりにくくなる。
【０００６】
そこで、本実施形態は、上記を鑑みてなされたもので、子機によって拡張される基地局管轄エリア内の通信量が基地局の許容量を超える場合でも、その基地局より上位の輻輳を回避することのできるエリア拡張システムとそのエリア拡張装置及びエリア拡張通信方法を提供することを目的とする。
【課題を解決するための手段】
【０００７】
上記の目的を達成するために、本実施形態に係るエリア拡張システムは、移動端末と無線通信する複数の基地局を備えるエリア拡張システムであって、前記基地局に接続される親機と前記親機に接続される複数の子機とを備える複数のエリア拡張装置を用いて前記基地局それぞれの無線通信エリアを拡張するエリア拡張システムにおいて、前記エリア拡張装置間で前記親機同士を接続する接続手段と、前記複数のエリア拡張装置それぞれに設けられ、前記複数の子機それぞれの受信レベルに基づく通信量を検出して通信許容量と比較し、前記通信許容量に満たない場合にはその受信信号を当該親機の接続先の基地局に送出し、前記通信許容量を超える場合には前記接続手段によって接続される他のエリア拡張装置の親機に送出する送出先選択手段とを具備し、前記通信許容量を超えるエリア拡張装置から受信信号を受けたエリア拡張装置の前記送出先選択手段は、自らのエリア拡張装置の接続先の基地局の通信許容量を超える場合には、切替元のエリア拡張装置とは異なるエリア拡張装置に前記切替元のエリア拡張装置からの受信信号を送出する態様とする。
【０００８】
また、本実施形態に係るエリア拡張システムのエリア拡張装置は、移動端末と無線通信する複数の基地局を備えるエリア拡張システムに用いられ、前記の基地局に接続される親機と前記親機に接続される複数の子機とを備え、前記基地局の無線通信エリアを拡張するエリア拡張装置であって、前記親機は、他のエリア拡張装置の親機と接続する接続手段と、前記複数の子機それぞれの受信レベルに基づく通信量を検出して通信許容量と比較し、前記通信許容量に満たない場合にはその受信信号を当該親機の接続先の基地局に送出し、当該通信許容量を超える場合には前記接続手段によって接続される他のエリア拡張装置の親機に送出する送出先選択手段とを具備し、前記通信許容量を超えるエリア拡張装置から受信信号を受けた場合、前記送出先選択手段は、自らのエリア拡張装置の接続先の基地局の通信許容量を超える場合には、切替元のエリア拡張装置とは異なるエリア拡張装置に切替元のエリア拡張装置からの受信信号を送出する態様とする。
【０００９】
また、本実施形態に係るエリア拡張システムのエリア拡張通信方法は、移動端末と無線通信する複数の基地局を備えるエリア拡張システムであって、前記基地局に接続される親機と前記親機に接続される複数の子機とを備えるエリア拡張装置を用いて前記複数の基地局それぞれの無線通信エリアを拡張するエリア拡張システムに適用され、前記エリア拡張装置間で前記親機同士を接続し、前記エリア拡張装置それぞれで、前記複数の子機それぞれの受信レベルに基づく通信量を検出して通信許容量と比較し、前記通信許容量に満たない場合にはその受信信号を当該親機の接続先の基地局に送出し、前記通信許容量を超える場合には前記接続手段によって接続される他のエリア拡張装置の親機に送出し、前記通信許容量を超えるエリア拡張装置から受信信号を受けた前記切替先のエリア拡張装置で、当該エリア拡張装置の接続先の基地局の通信許容量を超える場合には、切替元のエリア拡張装置とは異なるエリア拡張装置に前記切替元のエリア拡張装置からの受信信号を送出する態様とする。
【図面の簡単な説明】
【００１０】
【図１】本実施形態に係るエリア拡張システムの構成を示す概念図である。
【図２】図１に示すエリア拡張システムの具体的な構成を示すブロック図である。
【図３】図２に示す親機の具体的な構成を示すブロック図である。
【図４】図３に示す親機において、子機から信号が入力される場合の処理の流れを示すフローチャートである。
【図５】図３に示す親機において、隣接する親機から信号が入力される場合の処理の流れを示すフローチャートである。
【発明を実施するための形態】
【００１１】
以下、実施の形態について、図面を参照して説明する。
【００１２】
図１は、本実施形態に係るエリア拡張システムの構成を示す概念図である。このエリア拡張システムでは、移動端末と基地局（ＢＴＳ：Base Transceiver Station）とが無線通信するエリア拡張システムに備えられる複数の基地局それぞれに、親機及び複数の子機によるエリア拡張装置が接続される。各エリア拡張装置では、図１に示すように、親機が基地局に接続され、この親機に接続される複数の子機が基地局から離れた任意の箇所に配置されており、各子機で受信された受信信号は親機を通じて基地局に伝送され、基地局からの送信信号は親機を通じて各子機に分配され、各子機から通信エリアに無線送信される。
【００１３】
図２は、図１に示すエリア拡張システムの具体的な構成を示すブロック図である。ここでは、基地局（以下、ＢＴＳと記す）１ｉ（ｉは１〜３）に対して、それぞれ親機２ｉ及び子機３ｉｋ（ｋは１〜３）で構成されるエリア拡張装置を接続した構成を示している。親機２ｉは子機３ｉｋを接続するための複数（ここでは３個）の通信ポート＃ｍｎと、他の親機からの信号を入力するための外部入力ポートＥＸ−ｉｎと、他の親機に信号を出力するための外部出力ポートＥＸ−ｏｕｔを備える。図中、子機３ｉｋを接続するための通信ポートを♯ｍｎで表す。ｍは通信ポートが搭載される親機２ｉの番号（ｍ＝ｉとする）、ｎは通信ポート識別番号（ｎは１〜３）とする。親機２１，２２，２３それぞれの外部出力ポートＥＸ−ｏｕｔは隣接親機の外部入力ポートＥＸ−ｉｎに循環的に接続されている。
【００１４】
図３は、図２に示す親機２１の具体的な構成を示すブロック図である。尚、他の親機２２，２３はいずれも親機２１と同一構成であるので、ここでは説明を省略する。
【００１５】
図３において、親機２１は、子機３１１，３１２，３１３から通信ポート＃１１，＃１２，＃１３に供給される光信号による受信信号をそれぞれ電気信号に変換する第１の信号変換部２１１と、外部入力ポートＥＸ−ｉｎを通じて他の親機から供給される受信信号を取り込む接続インターフェース部（以下、単に接続部と記す）２１２と、外部出力ポートＥＸ−ｏｕｔを通じて他の親機に受信信号を送出する接続部２１３とを備える。なお、親機２１と子機３１１，３１２，３１３との間は、光信号による通信でなく電気信号による通信でもよい。なお、ここでは上り信号について説明するために、接続部２１２、２１３を外部入力ポートＥＸ−ｉｎ及び外部出力ポートＥＸ−ｏｕｔと表記しているが、外部入力ポートＥＸ−ｉｎ及び外部出力ポートＥＸ−ｏｕｔは、あくまで上り信号と取り扱う場合の外部出力と外部入力を意味しており、下り信号については、接続部２１２、２１３を通る信号の伝送方向は逆向きになる。
【００１６】
また、この親機２１は、判定切替部２１４、信号処理部２１５、及び第２の信号変換部２１６を備える。判定切替部２１４は、第１の信号変換部２１１及び接続部２１２に供給される受信信号それぞれの一定時間内の通信量情報を取得し、各通信ポート＃１１，＃１２，＃１３の通信量がそれぞれ予め決められた許容量（ＢＴＳ１１の許容量に基づいて配分される）を超えるか判定し、信号入力に際して許容量を超えない場合（ＮＯ）にはその信号を信号処理部２１５に導出し、許容量を超える場合（ＹＥＳ）にはその信号を接続部２１３に導出する。信号処理部２１５は、判定切替部２１４から導出される各子機または他の親機からの受信信号を単純合成する。第２の信号変換部２１６は、この信号処理部２１５で処理された受信信号をＲＦ信号に変換してＢＴＳ１１に送信する。上記信号処理部２１５では、信号を合成する際に、信号がデジタル信号の場合には加算器を用いて信号を合成し、信号がアナログ信号の場合には合成器を用いて信号を合成する。
【００１７】
ここで、上記判定切替部２１４の判定基準について説明する。一般的なエリア拡張システムでは、ＢＴＳが移動端末と無線通信を行う場合、ＢＴＳは受信する信号の受信レベル（受信パワー）を監視して、この受信レベルが適切なレベルになるように、移動端末へ送信レベル（送信パワー）を指示する。このため、エリア拡張装置は、自らの各子局で受信される受信レベルから、当該エリア拡張装置を介して無線通信する移動端末数をある程度は把握可能である。すなわち、受信レベルに基づき通信量を推測できるため、受信レベルに基づき判定を行う。但し、受信レベルのみに基づく判定では、移動端末がＢＴＳとの通信が確立する前の受信レベルを想定できない等、判定の正確性が低い場合がある。このため、ある時間内での受信レベルの変化の度合も判定基準に含める。
【００１８】
なお、上記実施形態では、判定切替部２１４にて第１の信号変換部２１１及び接続部２１２に供給される受信信号それぞれの一定時間内の通信量情報を取得するようにしているが、この通信量情報の取得は子機３１１，３１２，３１３で行って、受信信号と共に伝送するようにしてもよい。また、判定処理部２１４でなくとも、親機２１内に情報取得手段を設置して通信量情報の取得を行うようにしてもよい。また、子機側で通信量を計測し、得られた通信量情報を親機に通知するようにしてもよい。
【００１９】
上記構成によるエリア拡張システムにおいて、以下にその動作を説明する。
【００２０】
まず、上記実施形態に係るエリア拡張システムでは、複数系統の親機２ｉ同士を接続しておき、子機３１１，３１２，３１３からの受信信号が許容量を超えても、他の親機２２，２３へ受信信号の処理を分配できるようになされている。
【００２１】
例えば、親機２１に接続される子機３１３の受信レベルが大きくなってが許容量を上回る場合、子機３１３の受信信号をＢＴＳ１１ではなく親機２２に伝送し、親機２２からＢＴＳ１２へ受信信号を伝送する。また、親機２２でも子機３２１，３２２，３２３からの入力通信量がＢＴＳ１２の許容量に逼迫している場合、親機２１からの受信信号を親機２３へ伝送し、親機２３からＢＴＳ１３へ受信信号を伝送する。このとき、親機２２では受信信号の処理を行わず、受信信号を透過的に伝送させる。
【００２２】
一方、上記のようなエリア拡張システムが小規模であり、何れの親機２ｉ及び子機３ｉｋにおいても通信が混んでいる場合、隣接する親機２ｉへの信号経路切り替えが繰り返し実行され続ける事態が発生する。これを防止するために、経路切り替えを実行した際、主信号とは別に、ホップ数情報（親機２ｉを何回経由したかの情報）を付与して隣接する親機２ｉに伝送する方法を採る。この情報はＥＸ−ｏｕｔを経由する度に１を加算し、その上限を設定した上で、上限に達した信号は終端し棄却する処理を行う。
【００２３】
次に、上記のように構成されるエリア拡張システムの処理の流れについて、図４，図５を参照して説明する。
【００２４】
まず、図４は、図３に示す親機２１において、子機からの受信信号が入力される場合の処理の流れを示すフローチャートである。ここでは、例として、子機３１３の通信量が多くなる場合を想定し、子機３１３の通信量の許容量として、信号の受信レベルが一定値（例えば受信トータルレベルの平均値が−４０ｄＢｍ）以上、且つ、一定時間内の変化が一定値（１０ｄＢ）以上を想定して説明する。すなわち、子機３１３の通信量の許容量の判断材料として、信号の受信レベルの許容値（以下、レベル許容値とする。）と、信号の受信レベルの変化量の許容値（以下、変化量許容値とする。）とを用いる。
【００２５】
始めに、子機３１３からの受信信号の入力を待機し（ステップＳ１１）、受信信号が入力された場合には、その受信信号の受信レベルが一定値以上か否かを判定する（ステップＳ１２）。尚、ここでは親機側で受信レベルを取得するものとしたが、受信レベル情報を子機側で取得し、親機に通知するようにしてもよい。
【００２６】
ここで、ステップＳ１２において、受信信号の受信レベルが一定値（レベル許容値）以上となる場合、受信信号の伝送先を隣接する親機２２へ切り替える（ステップＳ１３）。その後、一定時間、状態を保持し（ステップＳ１４）、最新の一定時間内の受信レベル変化情報を取得する（ステップＳ１５）。その受信レベル変化が一定値（変化量許容値）以上か否かを判定し（ステップＳ１６）、一定値以上となる場合には、ステップＳ１４に戻り、上記の動作を繰り返す。
【００２７】
上記ステップＳ１２において、受信信号の受信レベルが一定値以上とならない場合、ステップＳ１６において、受信信号の受信レベル変化が一定値以上とならない場合、いずれも信号処理部２１５へ受信信号を伝送して受信信号を単純合成し、合成した受信信号をＢＴＳ１１へ伝送する（ステップＳ１７）。そして、次回の一定時間内の受信レベル情報を取得するまで待機する（ステップＳ１８）。
【００２８】
図５は、図３に示す親機２１において、隣接する親機２３から信号が入力される場合の処理の流れを示すフローチャートである。
【００２９】
始めに、隣接する親機２３からの信号入力を待機し（ステップＳ２１）、親機２３から信号が入力された場合には、配下にある子機３１１，３１２，３１３からの入力信号の通信量が許容量を超えるか否かを判定する（ステップＳ２２）。このとき、もし、子機３１１，３１２，３１３から入力される信号が許容量を超える場合、親機２３からの信号の伝送先を隣接する親機２２へ切り替え（ステップＳ２３）、ステップＳ２１に戻り、上記の動作を繰り返す。ここで、子機３１１，３１２，３１３から入力される信号が許容量を超えない場合、隣接する親機２３から入力された受信信号が一定値（許容値）以上か否かを判定する（ステップＳ２４）。もし、信号が許容量を超える場合、信号の伝送先を隣接する親機２２へ切り替え（ステップＳ２５）、一定時間、状態を保持し（ステップＳ２６）、最新の一定時間内の受信レベル変化情報を取得し（ステップＳ２７）、その受信レベル変化が一定値（れベル許容値）以上か否かを判定する（ステップＳ２８）。受信レベル変化が一定値を超える場合、ステップＳ２６に戻り、上記の動作を繰り返す。
【００３０】
上記ステップＳ２２及びＳ２８において、一定値以上とならない場合、信号処理部２１５へ受信信号を伝送して受信信号を単純合成し、合成した受信信号をＢＴＳ１１へ伝送する（ステップＳ２９）。そして、次回の一定時間内の受信レベル情報を取得するまで待機する（ステップＳ３０）。
【００３１】
すなわち、上記構成によるエリア拡張システムでは、親機２１の配下にある子局３１３の受信信号が許容量を超えた場合には、親機２１から親機２２へ信号の経路を切り替える。これにより、ＢＴＳ１１配下の子機３１３からの信号は、親機２１から親機２２を通してＢＴＳ１２へ伝送され、ＢＴＳ１２から上位装置に送られる。
【００３２】
上記の状態において、ＢＴＳ１２及び上位装置は、ＢＴＳ１１配下の子機３１３の信号の経路がＢＴＳ１２へ切り替えられているため、子機３１３がＢＴＳ１１からＢＴＳ１２にハンドオーバしたと判断し、子機３１３宛の下り信号をＢＴＳ１２に配信する。このとき、ＢＴＳ１２では、配下の親機２２に下り信号を伝送するが、親機２２ではその伝送先が配下の子機３２１，３２２，３２３を通してその配下の子機３２１，３２２，３２３に伝送すると共に、上記切替によって接続中の隣接する親機２１に下り信号を送り、送り、当該親機２１を通じて、子機３１１，３１２，３１３全てへ伝送する。これによって、子機３１３のエリア内の移動端末に下り信号を伝送することが可能となる。
【００３３】
なお、通信量の許容量を判断する場合、当該親機の配下の子機と、隣接する親機の配下の子機とで、許容量の判断を別に行っているが、通信量の許容量を判断する親機は、これらを区別することなく何れの子機も自らの配下の子機として判断することも可能である。
【００３４】
また、親機に、隣接する親機の配下の子機からの信号が入力されている場合は、当該親機の配下の子機についての通信量の許容量を、隣接する親機の配下の子機からの信号が入力されていない場合と異なる値にしてもよい。
【００３５】
以上のように上記実施形態に係るエリア拡張システムでは、入力される信号の一定時間内の受信レベル情報を取得し、子機３ｉｋからの受信信号、さらに隣接する親機２ｉから伝送される受信信号が基地局１ｉの許容量を超えるか判定する。もし、受信信号が基地局１ｉの許容量を超える場合、他の親機２ｉへ受信信号の処理を分配する。このため、受信信号が１つの基地局１ｉに集中することがなくなり、輻輳を回避することが可能となる。
【００３６】
また、本来一定時間内の通信量情報を検出するには、基本的に受信信号の中身を見ることで、いくつのユーザーと通信しているか、どのくらいの通信量であるかを知ることが必要であり、従来ではこの処理に時間がかかっていたが、本実施形態では、受信信号を親機２ｉにて単純分配し、単純合成し、さらに通信量を受信レベルに基づき単純判定するため、処理にかかる手間を最小限に留め、処理時間の増大を少なく抑えることも期待することができる。
【００３７】
また、上記実施形態の説明では、通信量の許容量として、レベル許容値については信号の受信トータルレベルの平均値が−４０ｄＢｍ以上、且つ、変化許容値については一定時間内の変化が１０ｄＢ以上の場合を例示したが、一定時間内の変化は無いが、信号の受信トータルレベルの平均値が例えば−３０ｄＢｍ以上のように、通信量の許容量の判断基準を設けてもよい。
【００３８】
以上、本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３９】
１ｉ…基地局（ＢＴＳ）、２ｉ…親機、３ｋ…子機、♯ｍｎ，ＥＸ−ｉｎ，ＥＸ−ｏｕｔ…通信ポート、２１１…第１の信号変換部、２１２，２１３…接続部、２１４…判定処理部、２１５…信号処理部、２１６…第２の信号変換部。
【図１】
2013066009.tif 000003
【図２】
2013066009.tif 000004
【図３】
2013066009.tif 000005
【図４】
2013066009.tif 000006
【図５】
2013066009.tif 000007